(57)【特許請求の範囲】
【請求項１】
指針と、
前記指針の指針軸が挿通する文字板孔部を有し、前記文字板孔部の内壁の内壁入光部から光を導入することで、意匠表示部が光輝する導光文字板と、
前記導光文字板の背面に配設され、光源を実装する回路基板と、
前記導光文字板と前記回路基板との間に配設され、少なくとも前記導光文字板を保持する中ケースと、
前記指針軸の略全周を覆う略環状形状であり、前記光源からの光を、前記導光文字板方向へ出射する文字板方向出射部を有する導光体と、
前記指針と前記導光文字板との間に配設され、前記文字板方向出射部から前記内壁入光部へ向かう光を遮る第１の遮光壁を有するリング状の遮光部材と、を備えること、を特徴とする指針式表示装置。
【請求項２】
前記遮光部材は、前記導光体または前記導光文字板との間に、前記第１の遮光壁の配設される位置を定める遮光部材位置決め部を具備すること、を特徴とする請求項１に記載の指針式表示装置。
【請求項３】
前記導光体は、前記遮光部材を係止めする係止部をさらに備えること、を特徴とする請求項１または請求項２に記載の指針式表示装置。
【請求項４】
前記導光体は、回路基板との間で位置決めする導光体位置決め部と、前記導光体の側面から水平方向に延出し、前記中ケースの一部を背面側から保持する中ケース保持部と、をさらに備え、前記係止部に前記遮光部材を係止することで、前記中ケース保持部と前記係止部との間に前記導光文字板と前記中ケースとを挟持してなること、
を特徴とする請求項３に記載の指針式表示装置。
【請求項５】
指針と、
前記指針の指針軸が挿通する文字板孔部を有し、前記文字板孔部の内壁の内壁入光部から光を導入することで、意匠表示部が光輝する導光文字板と、
前記導光文字板の背面に配設され、光源を実装する回路基板と、
前記導光文字板と前記回路基板との間に配設される中ケースと、
前記指針軸の略全周を覆う略環状形状であり、前記光源からの光を、前記導光文字板方向へ出射する文字板方向出射部を有する導光体と、を備え、
前記中ケースは、前記文字板方向出射部から前記内壁入光部へ向かう光を遮る第２の遮光壁を、前記導光体の前記文字板方向出射部と前記内壁入光部との間に有すること、を特徴とする指針式表示装置。
【発明の詳細な説明】
【技術分野】
【０００１】
本発明は、光源から出射された光を導光文字板にて導光して意匠表示部等を照光する、自動車などに搭載される指針式表示装置に関するものである。
【背景技術】
【０００２】
従来の指針式表示装置は、例えば、特許文献１に開示されているようなものがある。このような指針式表示装置は、指針軸近辺に配設される光源と、この光源からの光を指針の指針軸を中心とした環状の光入射端面部から入光し、入光した光を目盛り板（表示板）の背面に導光し、表示板を背面から均一照明する導光部材と、を備えるものであり、光源からの光を指針軸に沿って導光し、さらにその導光した光を表示板に沿って導光させることにより、表示板背面に空間を設けることができ、回路基板などに配設する部品配置の自由度を向上させている。
【先行技術文献】
【特許文献】
【０００３】
【特許文献１】特開２００３−２７０００３号公報
【発明の概要】
【発明が解決しようとする課題】
【０００４】
しかしながら、特許文献１のような指針式表示装置は、表示板全体を均一に照明するものであって、表示板に設けられる意匠表示部を考慮しておらず、意匠表示部の少ない箇所にも他の箇所と同様に光の導入が行われるため、例えば、図１５に示すような意匠表示部以外の光輝させたくない非意匠表示部Ｚも照明され、意匠表示部と非意匠表示部とのコントラストが低下するという問題があった。また、図１５に示すように、指針式表示装置内に液晶ディスプレイなどの表示部Ｅが具備されている場合、導光文字板内を導光する光により表示部Ｅが意図しない照明をされてしまうという問題があった。
【０００５】
そこで本発明は、前述の問題点に着目し、意匠表示部を効率よく照明しつつ、意匠表示部を有さない領域の意図しない照明を抑制することができる指針式表示装置を提供することを目的とするものである。
【課題を解決するための手段】
【０００６】
本発明は、前記課題を解決するため、以下の手段を採用した。
すなわち、本発明は、指針と、前記指針の指針軸を挿通する文字板孔部を有し、前記文字板孔部の内壁入光部から光を導入することで意匠表示部が光輝する導光文字板と、前記導光文字板の背面に配設され、光源を実装する回路基板と、前記導光文字板と前記回路基板との間に配設され、前記指針軸の略全周を覆う略環状形状であり、前記光源からの光を、前記導光文字板方向へ出射する文字板方向出射部を有する導光体と、前記文字板方向出射部から前記内壁入光部へ向かう光を遮る遮光壁と、を備えること、をその要旨とする。
【０００７】
本発明は、前述した課題を解決するため、第１の発明は、指針と、前記指針の指針軸が挿通する文字板孔部を有し、前記文字板孔部の内壁の内壁入光部から光を導入することで、意匠表示部が光輝する導光文字板と、前記導光文字板の背面に配設され、光源を実装する回路基板と、前記導光文字板と前記回路基板との間に配設され、少なくとも前記導光文字板を保持する中ケースと、前記指針軸の略全周を覆う略環状形状であり、前記光源からの光を、前記導光文字板方向へ出射する文字板方向出射部を有する導光体と、前記指針と前記導光文字板との間に配設され、前記文字板方向出射部から前記内壁入光部へ向かう光を遮る第１の遮光壁を有する遮光部材と、を備えるものであり、このように前記第１の遮光壁により、前記内壁入光部への光を確実に遮断することで、意匠表示部を有さない領域への光の入射を抑制することができる。また、遮光部材の変更により容易に遮光領域を変更することが出来る。
【０００８】
また、第２の発明では、前記遮光部材は、前記導光体または前記導光文字板との間に、前記第１の遮光壁の配設される位置を定める遮光部材位置決め部を具備するものであり、斯かる構成により、前記第１の遮光壁の位置を、組付け時に前記導光体または前記導光文字板により規程することができる。
【０００９】
また、第３の発明では、前記導光体は、前記遮光部材を係止めする係止部をさらに備えるものであり、このように、遮光部材の上方から係止め固定することにより、遮光部材の下方に係止め部を設ける必要がなくなり、遮光部材の下方に必要最小限の構造でシンプルな遮光壁を設けることができる。
【００１０】
また、第４の発明では、前記導光体は、回路基板との間で位置決めする導光体位置決め部と、前記導光体の側面から水平方向に延出し、前記中ケースの一部を背面側から保持する中ケース保持部と、をさらに備え、前記係止部に前記遮光部材を係止することで、前記中ケース保持部と前記係止部との間に前記導光文字板と前記中ケースとを挟持してなるものであり、斯かる構成により、組付け部材、組付け工数を削減しつつ、導光文字板の内壁入光部と導光体の文字板方向出射部が位置決めすることができ、光源からの光を効率よく導光文字板へ入射させることができる。
【００１１】
また、第５の発明では、指針と、前記指針の指針軸が挿通する文字板孔部を有し、前記文字板孔部の内壁の内壁入光部から光を導入することで、意匠表示部が光輝する導光文字板と、前記導光文字板の背面に配設され、光源を実装する回路基板と、前記導光文字板と前記回路基板との間に配設される中ケースと、前記指針軸の略全周を覆う略環状形状であり、前記光源からの光を、前記導光文字板方向へ出射する文字板方向出射部を有する導光体と、を備え、前記中ケースは、前記文字板方向出射部から前記内壁入光部へ向かう光を遮る第２の遮光壁を、前記導光体の前記文字板方向出射部と前記内壁入光部との間に有するものであり、このように内壁入光部への光を確実に遮断することで、意匠表示部を有さない領域への光の入射を抑制することができる。
【発明の効果】
【００１２】
意匠表示部を効率よく照明しつつ、意匠表示部を有さない領域の意図しない照明を抑制することができる指針式表示装置を提供する。
【図面の簡単な説明】
【００１３】
【図１】本発明の一実施形態における指針式表示装置の斜視図である。
【図２】上記発明の一実施形態における導光文字板の分解図である。
【図３】上記発明の一実施形態における導光文字板の表示例を表す図であり、（ａ）は、導光文字板の正面図であり、（ｂ）は、照明された導光文字板の様子を表す図であり、（ｃ）は、指針式表示装置の断面図である。
【図４】上記発明の一実施形態における（ａ）は、導光体の斜視図であり、（ｂ）（ｃ）は導光体の断面図である。
【図５】上記発明の一実施形態におけるカラー部材の図であり、（ａ）は斜視図であり、（ｂ）は上面図である。
【図６】上記発明の一実施形態における導光体にカラー部材を取り付ける様子を表す組立図である。
【図７】上記発明の一実施形態における導光体を表す図であり、（ａ）は、導光体の斜視図であり、（ｂ）は、導光体の断面図であり、（ｃ）乃至（ｆ）は、文字板方向反射部の変形例を表す図である。
【図８】上記発明の一実施形態における指針式表示装置の組立図である。
【図９】上記発明の一実施形態における指針式表示装置の上面図である。
【図１０】上記発明の一実施形態における指針式表示装置の断面図であり、図９の断面図である。（ａ）はＡ−Ａ’断面図であり、（ｂ）はＢ−Ｂ’断面図であり、（ｃ）はＣ−Ｃ’断面図である。
【図１１】上記発明の一実施形態における指針式表示装置の断面図の拡大図であり、図１０の拡大図である。（ａ）は図１０（ａ）の拡大図であり、（ｂ）は図１０（ｂ）の拡大図である。
【図１２】本発明の第２実施形態におけるカラー部材位置決め部を表す図である。
【図１３】本発明の第３実施形態における導光体の斜視図である。
【図１４】本発明の第４実施形態における中ケースの断面図である。
【図１５】本発明の指針式表示装置における非意匠表示部Ｚの説明図である。
【発明を実施するための形態】
【００１４】
以下に、本発明の指針式表示装置１の実施形態を図を用いて説明する。図１は、本実施形態における指針式表示装置１の斜視図である。本発明の指針式表示装置１は、導光文字板１０と、導光体２０と、指針３０と、本体４０と、光源５０と、回路基板６０と、中ケース７０と、カラー部材（遮光部材）８０と、から構成され、車両側から出力される車速やエンジン回転数等の車両情報を示す車両信号に基づき、指針が回動するものであり、光源の発する光により、導光文字板と指針が光輝するものである。
【００１５】
（導光文字板）
まず、本発明の指針式表示装置１における導光文字板１０について、説明する。
導光文字板１０は、図２に示すように、透光性の導光部１１と、この導光部１１の表面に意匠を表示する意匠表示部１２と、光を拡散する光拡散部１３と、導光部１１の表面を覆う表面低屈折率部１４ａと、導光部１１の裏面を覆う裏面低屈折率部１４ｂと、を備える。
【００１６】
導光部１１は、後述する指針軸４１を挿通し、指針３０の指針キャップ３３より径の小さい貫通孔である文字板孔部１１１を有する透光性材料から形成される平板状の部材であり、ここでは、透明又は半透明の透光性（半透光性を含む）を有する平板状の合成樹脂製の部材（例えばポリカーボネート板等）である。文字板孔部１１１の内壁は、内壁入光部１１１ａを備え、内壁入光部１１１ａより光を導光部１１内に取り込む。導光部１１は、内壁入光部１１１ａから光を入光し、広い範囲に光を伝達するものである。
【００１７】
意匠表示部１２は、導光部１１の表面または裏面に、例えば、インク等を用いて、印刷、塗装等によって形成され、意匠（文字、絵、図形、記号等）を表示する表示層であり、非透光性（遮光性）の不透過部１２１と、光を透過して出射する透過部１２２と、により構成される。
不透過部１２１は、図３（ａ）において目盛り形状以外の塗りつぶされた領域であり、遮光性のインク等を用いて、印刷、塗装等によって形成され、車両用計器の意匠（文字、絵、図形、記号等を表現する意匠）の部分を切り抜いて、意匠を形成するものである。
【００１８】
透過部１２２は、図３（ｃ）に示すように、導光文字板１０内の光Ｌａを出射する第１の光透過出射部１２２ａと、導光文字板１０の背面に位置する第２の光源５２の光Ｌｃを透過し、出射する第２の光透過出射部１２２ｂと、に分類される。
第１の光透過出射部１２２ａは、導光文字板１０内の光Ｌａを後述する光拡散部１３により拡散された光を出射するものであり、第２の光透過出射部１２２ｂは、導光文字板１０の背面に位置する第２の光源５２から出射される光Ｌｃを透過するものであり、第２の光源５２から出射された光Ｌｃが拡散や反射等されずに直接出射するので、輝度の高い光を出射し、明るく光るので、ユーザの目を引くことができる。
透過部１２２は、不透過部１２１において切り抜かれた車両用計器の意匠の部分である。ここでは、透過部１２２は、抜き絵印刷等によって形成される。
また、透過部１２２は、後述の光拡散部１３で拡散された光を透過するものであれば良いので、例えば、透光性を有する白色印刷等によって形成されても良い。
【００１９】
光拡散部１３は、光拡散性を有する材料を用いて、印刷、塗装等によって導光部１１の裏面上に形成され、導光部１１が導光した光を拡散する。光拡散部１３は、第１の光透過出射部１２２ａに対応する位置に設けられ、図３のように第１の光透過出射部１２２ａの全ての部分と重なるように設けられる。
【００２０】
表面低屈折率部１４ａ及び裏面低屈折率部１４ｂは、導光部１１を挟んで、導光部１１の両面全体に亘って、その両面（適宜、光拡散部１３を含む）を覆うように設けられる。表面低屈折率部１４ａ及び裏面低屈折率部１４ｂは、透明又は半透明の透光性（半透光性を含む）を有し、導光部１１よりも光の屈折率が低い合成樹脂を用いて、印刷、塗装等によって形成される。
また、表面低屈折率部１４ａ及び裏面低屈折率部１４ｂは、透光性を有する平板状の合成樹脂製の部材（例えばアクリル板等）によって設けられても良い。
【００２１】
具体的に、表面低屈折率部１４ａ及び裏面低屈折率部１４ｂは、アクリル系樹脂（光の屈折率は約１．４９）、シリコン系樹脂（光の屈折率は約１５）、テトラフルオロエチレンやポリテトラフルオロエチレン（ポリエチレンの一種、光の屈折率は約１３５）等によって形成されている。なお、表面低屈折率部１４ａと裏面低屈折率部１４ｂとは、それぞれ異なる材料により形成されてもよい。
【００２２】
表面低屈折率部１４ａと導光部１１との界面、又は裏面低屈折率部１４ｂと導光部１１との界面で、導光部１１によって導光された光は全反射する。全反射は、屈折率が大きい媒質（導光部１１）から小さい媒質（低屈折率部１４ａ，１４ｂ）に光が入射しようとするときに、入射しようとする光が界面を透過せず、その全て（略全てを適宜含む。）が反射する現象をいう。全反射は、光の入射角が、隣り合う媒質（ここでは導光部１１と、表面低屈折率部１４ａ及び裏面低屈折率部１４ｂ）の各屈折率により決まる角度（臨界角）よりも大きい場合に起こる。導光部１１の側面から入射される光は、その殆どが、臨界角よりも大きい入射角で表面低屈折率部１４ａ又は裏面低屈折率部１４ｂに到達するので、導光部１１と低屈折率部１４との界面に到達した光は、全反射する。
【００２３】
このように構成された導光文字板１０の光の入射から出射までを、図３（ｃ）を用いて具体的に述べると、導光体２０の文字板方向出射部２４から出射された光Ｌａは、導光文字板１０の文字板孔部１１１の内壁入光部１１１ａに入射する。内壁入光部１１１ａに入射した光Ｌａは、導光部１１と表面低屈折率部１４ａとの界面、又は導光部１１と裏面低屈折率部１４ｂとの界面で全反射を繰り返し、導光部１１の内部を進む。導光部１１の内部を進む光の一部は、光拡散部１３に到達する。光拡散部１３に到達した光Ｌａは、その光拡散部１３で拡散される。光拡散部１３によって拡散された光Ｌａのうち、導光部１１の表面への入射角が臨界角よりも小さい光は、全反射せず、表面低屈折率部１４ａを介して意匠表示部１２の第１の光透過出射部１２２ａを透過する。これにより、意匠表示部１２は、図３（ｂ）に示すように、第１の光透過出射部１２２ａ（ここでは、速度計の目盛り部分）から光が出射される。これによって、不透過部１２１は暗く見え、第１の光透過出射部１２２ａは光って見える。
【００２４】
以上が、本実施形態に係る導光文字板１０の構成であり、導光文字板１０は、意匠表示部１２において、第１の光透過出射部１２２ａに対応して、光拡散部１３が設けられるので、光拡散部１３で拡散された光Ｌａは、第１の光透過出射部１２２ａを透過して出射する。
【００２５】
（導光体）
つづいて、図４乃至７を用いて、導光体２０を説明する。
図４は、本発明の導光体２０の斜視図と断面図である。
導光体２０は、後述する光源５１を収納する導光体入光部２１と、光源５１の光Ｌを、導光文字板１０の内壁入光部１１１ａの方向へ反射する文字板方向反射部２２、指針３０の方向へ光Ｌｂを出射する指針方向出射部２３と、導光文字板１０の内壁入光部１１１ａに光Ｌａを出射する文字板方向出射部２４と、後述する指針軸４１が挿通する指針軸挿通部２５と、回路基板６０との間で位置決めする導光体位置決めピン（導光体位置決め部）２６と、前記中ケース７０を保持する中ケース保持部２７と、カラー部材８０を係り止めする係止爪部２８と、カラー部材８０を挿入する際の取付ガイドを行うガイド部２９と、を備えてなるものであり、中ケース保持部２７と係止爪部２８との間にカラー部材８０と導光文字板１０と中ケース７０とを挟持固定するものである。
【００２６】
導光体入光部２１は、後述する第１の光源５１から光を入光する箇所であり、光源５１から発せられる光Ｌを逃すことなく、より多くの光を導光体２０内に取り込む。また、光源の光を逃すことなく入光させるため、図７（ｂ）のように、光源５１を導光体２０と同じ部材により覆う入光壁２１ａを設けても良い。
【００２７】
文字板方向反射部２２は、図７（ｃ）に示すように、導光体２０の中心Ｏを中心とする円錐面状で形成され、導光体入光部２１から入射した光Ｌを指針方向出射部２３の方向へ反射する。本実施例においては、文字板方向反射部２２は導光体２０の中心Ｏを中心とし、略全方向に設けられているが、光を反射させたい領域によって、適宜文字板方向反射部２２を設ける領域を限定してもよい。
また、文字板方向反射部２２は、図７（ｄ）に示すように、角錐面状（六角錐面，八角錐面等）や、図７（ｅ）に示すような曲面状や、図７（ｆ）に示すように、突起を設けてもよい。
【００２８】
指針方向出射部２３は、文字板方向反射部２２のうち、導光体２０内を導光する光Ｌの文字板方向反射部２２に入射した際の角度が、臨界角以下であり、指針３０方向へ光Ｌｂが出射される箇所である。指針方向出射部２３から指針３０方向へ出射される光Ｌｂの量は、後述する文字板方向出射部２４の形状により、適宜調節される。
【００２９】
文字板方向出射部２４は、導光文字板１０の文字板孔部１１１の内壁に設けられた内壁入光部１１１ａの面に対し、略平行に配設され、文字板方向反射部２２の反射した光Ｌａを内壁入光部１１１ａに向け、出射する箇所である。導光体２０の高さ方向である文字板方向出射部２４の厚さは、内壁入光部１１１ａの厚さと略同一となるように形成される。斯かる構成により、導光体から導光文字板への光の伝達の際の光漏れを抑制し、効率よく意匠を照明することができる。
【００３０】
指針軸挿通部２５は、後述する指針軸４１が挿通する部分であり、導光体１０の中心Ｏに貫通孔として設けられる。斯かる構成により、文字板方向出射部を略全方向へ設けることができ、光源の光を、文字板孔部を中心に導光文字板の略全方向に対し出射することができ、より広範囲の意匠を効率よく照明することができる。
【００３１】
導光体位置決めピン（導光体位置決め部）２６は、後述する回路基板６０の導光体位置決め孔６１に挿入される複数のピンであり、導光体位置決めピン２６を導光体位置決め孔６１に挿入することで、光源５０と導光体入光部２１との位置を合わせるものである。
【００３２】
中ケース保持部２７は、導光体２０の側面から水平方向に延出し、後述する中ケース７０の載置部７２を保持するものである。本実施形態においては、中ケース保持部２７を２箇所設けているが、中ケース７０を保持する強度を強くするために、導光体２０の略全周に設けられてもよい。
【００３３】
係止爪部２８は、文字板方向出射部２４の上面に爪形状で設けられ、後述する図５のようなカラー部材８０が図６に示すように、係止爪部２８の上方から挿入された際に、カラー部材８０の係止部８２を、係止爪部２８と文字板方向出射部２４の上面とで挟持することでカラー部材８０を係止するものである。カラー部材８０を上方から挿入する際、挿入しやすいように係止爪部２８に傾斜部２８１を設けてもよい。
【００３４】
指針３０は、指示部３１と、指針基部３２と、指針キャップ３３とから構成されている。指示部３１は、導光文字板１０の指標を指示し、光源５０からの光Ｌｂを受けて光輝する。指針基部３２は、本体４に設けられた指針軸４１に固定される。この指針基部３２は指示部２１と透明な樹脂で一体に形成されている。指針キャップ３３は、遮光性の合成樹脂からなり、指針基部３２を覆うように具備されている。
【００３５】
本体４０は、回路基板６に実装され、指針２が装着される指針軸４１を備えている。指針軸４１は、導光文字板１０の文字板孔部１１１の略中心に位置して貫通するとともに、その先端部分が導光文字板１０の表示面より上方に突出している。
【００３６】
光源５０は、回路基板６０に実装され、回路基板６０に対して垂直方向に光を照射するトップビュー型からなる。光源５０は、導光体２０に光Ｌを出射する第１の光源５１と、導光文字板１０の背面から第２の光透過出射部１２２ｂを照明する第２の光源５２とから構成される。
【００３７】
回路基板６０は、光源５０や本体４０を実装し、指針式表示装置１の電気的な制御を行うものである。また、回路基板６０は、導光体２０の導光体位置決めピン２６が挿入される導光体位置決め孔６１を有し、導光体位置決めピン２６を導光体位置決め孔６１に挿入することで、光源５０と導光体入光部２１との位置を合わせるものである。
【００３８】
中ケース７０は、導光文字板１０と回路基板６０の間に配設され、光源５１及び導光体２０を区画する第１の仕切り部７１と、第２の光源５２を区画する第２の仕切り部７２と、を有する反射部材で形成される。
第１の仕切り部７１は、導光体２０に入射した光源５１の光Ｌが、導光体２０の指針方向出射部２３及び文字板方向出射部２４以外の表面から出射してしまった場合、その光Ｌを第１の仕切り部７１の外部へ漏らさず、再び導光体２０方向へ反射させるリフレクタであり、第２の仕切り部７２は、第２の光源５２の光Ｌｃを第２の仕切り部７２の外部へ漏らさず、第２の光透過出射部１２２ｂ方向へ反射させるリフレクタである。
【００３９】
カラー部材（遮光部材）８０は、隔壁部８１と、係止部８２と、押さえ部８３と、第１の遮光壁８４と、カラー部材位置決め部８５を有し、指針３０と導光文字板１０との間に配設されるリング状の遮光性の材料または反射性の材料で形成される。
【００４０】
隔壁部８１は、指針３０と導光文字板１０との間から漏れる光を遮断することで、指針３０まわりが光輝してしまうハレーションを防ぐものである。
【００４１】
係止部８２は、導光体２０の係止爪部２８が係合するものであり、係止部８２の厚さは、導光体２０の係止爪部２８と文字板方向出射部２４の上面との間の距離と略同一に設定する。これにより、係止部８２は、導光体２０の係止爪部２８と文字板方向出射部２４の上面との間で挟持固定される。
【００４２】
押さえ部８３は、隔壁部８１の外径方向を水平に延出し、導光文字板１０を押さえるものである。
【００４３】
第１の遮光壁８４は、押さえ部８３の内径側に垂設され、文字板方向出射部２４と内壁入光部１１１ａとの間に位置し、文字板方向出射部２４から内壁入光部１１１ａへ向かう光を遮るものである。
【００４４】
カラー部材位置決め部８５は、第１の遮光壁８４が光を遮光する位置を規程するものであり、本実施形態においては、係止部８２に切り込みをいれることで、カラー部材８０を導光体２０の上面から挿入する際に位置決めされる。
このような位置決め手段を用いることで、カラー部材位置決め部８５を変更により、導光文字板２０を変更することなく、光を遮光する箇所を容易に変更することができる。
【００４５】
次に、上述した構成部材による指針式表示装置の概略組立構造を図８を用いて説明する。まず回路基板６０の導光体位置決め孔６１に、導光体２０の導光体位置決めピン２６を挿入し、導光体２０の上方から中ケース７０をセットし、その上方から導光文字板１０をセットし、さらに導光体２０の上方からカラー部材８０を圧入する。これにより、カラー部材８０の係止部８２が導光文字板２０の係止爪部２８と係り合い、カラー部材８０の押さえ部８３により導光文字板１０と中ケース７０が下方に押し込まれ、導光体２０の係止爪部２８と中ケース保持部２７との間に、導光文字板１０と中ケース７０とカラー部材８０とが挟持固定される。その後、指針軸に指針３０をセットする。
【００４６】
これより、以上に述べた指針式表示装置１の指針３０、導光文字板１０の照明方法について、図９乃至１１を用いて説明する。図９は、指針式表示装置の上面図である。図１０は、図９の指針式表示装置の断面図である。図１１は、図１０の断面図の拡大図である。
（１）指針軸４１の周辺に配設された光源５１の光Ｌは、図１１に示すように、指針軸４１が挿通する指針軸挿通部２５を有する導光体２０に入光し、導光体２０により指針軸４１と略平行方向に導光される。
（２）導光された光Ｌは、文字板方向反射部２２により光Ｌａとして指針方向出射部２３の方向へ反射される。光Ｌのうち文字板方向反射部２２に臨界角以下で入射した光は、指針方向出射部２３により指針３０方向へ光Ｌｂを出射される。
（３）指針方向出射部２３と導光文字板１０の内壁入光部１１１ａとは、略平行に配設され、それぞれの厚さが略同一になるように形成され、文字板方向反射部２２により反射された光Ｌａは、指針方向出射部２３から出射され、内壁入光部１１１ａに入射される。
（４）内壁入光部１１１ａに入射された光Ｌａは導光部１１内を全反射により進行し、第１の光透過出射部１２２ａに対応して設けられた光拡散部１３により拡散され、第１の光透過出射部１２２ａから拡散された光Ｌａが出射することにより、第１の光透過出射部１２２ａは光輝して視認される。
（５）また、文字板方向出射部２３から出射された光のうち、文字板孔部１１１からみて、透過部１２２などの光輝する意匠が存在しない方向への光は、カラー部材８０の第１の遮光壁８４により光を遮る。
【００４７】
以上のように、本実施形態の指針式表示装置１において、導光体２０の係止爪部２８と中ケース保持部２７との間に、導光文字板１０と中ケース７０とカラー部材８０とを挟持固定することで、導光体２０の文字板方向出射部２４と導光文字板１０の内壁入光部１１１ａの高さ位置が合い、導光体２０からの光が効率よく導光文字板１０内に取り込まれる。また、文字板方向出射部２３と内壁入光部１１１ａとの間に適宜第１の遮光壁８４を設けることにより、指針軸挿通孔１１１からみて透過部１２２が存在しない領域に光は導入されず、非意匠表示部が明るく視認されてしまうのを防ぐことができる。
また、本発明の導光文字板１０の導光部１１は、平板なので容易に光拡散部１３などを印刷形成することができる。
【００４８】
（第２実施形態）
また、上述の実施形態においては、カラー部材８０の位置決めをカラー部材８０と導光体２０の間で行っていたが、図１２に示すように、カラー部材８０に第２カラー部材位置決め部８５ａを設け、この第２カラー部材位置決め部８５ａを、導光文字板１０の溝部１５に挿入することで、カラー部材８０を位置決めしてもよい。
【００４９】
（第３実施形態）
また、導光体２０は、図１３に示すように光の出射が不要な箇所にはきりこみをいれてもよい。斯かる構成により、光の出射が不要な箇所（非表示意匠部）から光が出射されるのを防ぐことができ、これにより、指針軸挿通孔１１１からみて透過部１２２が存在しない領域に光は導入されず、非意匠表示部が明るく視認されてしまうのを防ぐことができる。
【００５０】
（第４実施形態）
また、中ケース７０は、図１４に示すように、指針３０と導光文字板１０との間に配設され、文字板方向出射部２４から内壁入光部１１１ａへ向かう光Ｌａを遮る第２の遮光壁７３を有してもよい。斯かる構成により、中ケースで文字板方向出射部から内壁入光部へ向かう光を遮ることができ、意匠表示部を有さない領域への光の入射を抑制することができる。
【符号の説明】
【００５１】
１      指針式表示装置
１０      導光文字板
１１      導光部
１２      意匠表示部
１３      光拡散部
１４ａ    表面低屈折率部
１４ｂ    裏面低屈折率部
１５      溝部
２０      導光体
２１      導光体入光部
２２      文字板方向反射部
２３      指針方向出射部
２４      文字板方向出射部
２５      指針軸挿通部
２６      導光体位置決めピン（導光体位置決め部）
２７      中ケース保持部
２８      係止爪部
２９      ガイド部
３０      指針
３１      指示部
３２      指針基部
３３      指針キャップ
４０      本体
４１      指針軸
５０      光源
５１      第１の光源
５２      第２の光源
６０      回路基板
６１      導光体位置決め孔
７０      中ケース
７２      載置部
７３      第２の遮光壁
８０      カラー部材（遮光部材）
８１      隔壁部
８２      係止部
８３      押さえ部
８４      第１の遮光壁
８５      カラー部材位置決め部
８５ａ    第２カラー部材位置決め部
１１１      文字板孔部
１１１ａ    内壁入光部
１２１      不透過部
１２２      透過部
１２２ａ    第１の光透過出射部
１２２ｂ    第２の光透過出射部
【図１】
0005803570.tif 000002
【図２】
0005803570.tif 000003
【図３】
0005803570.tif 000004
【図４】
0005803570.tif 000005
【図５】
0005803570.tif 000006
【図６】
0005803570.tif 000007
【図７】
0005803570.tif 000008
【図８】
0005803570.tif 000009
【図９】
0005803570.tif 000010
【図１０】
0005803570.tif 000011
【図１１】
0005803570.tif 000012
【図１２】
0005803570.tif 000013
【図１３】
0005803570.tif 000014
【図１４】
0005803570.tif 000015
【図１５】
0005803570.tif 000016